(57)【特許請求の範囲】
【請求項１】
中央制御装置（１）と複数のフロア制御装置（２）とがメイン通信ライン（５）で接続され、フロア制御装置（２）と複数の開閉制御装置（３）とがフロア通信ライン（６）で接続され、フロア制御装置（２）を介して中央制御装置（１）と開閉制御装置（３）とで通信して電動開閉装置（４）の制御を行なう電動開閉装置の制御システムにおいて、
メイン通信ライン（５）とフロア通信ライン（６）との間には、モニタライン（７）が設けられて、モニタライン（７）を介してフロア通信ライン（６）を流れる信号を中央制御装置（１）にて受信可能とすることを特徴とする電動開閉装置の制御システム。
【請求項２】
前記モニタライン（７）には切替手段（１２６、１２８）が設けられており、前記中央制御装置（１）からフロア制御装置（２）へのモニタ指令により、切替手段（１２６、１２８）が、モニタライン（７）を介してフロア通信ライン（６）とメイン通信ライン（５）とを接続することを特徴とする請求項１記載の電動開閉装置の制御システム。
【請求項３】
前記中央制御装置（１）からフロア制御装置（２）へのモニタ解除指令により、切替手段（１２６、１２８）が、フロア通信ライン（６）とメイン通信ライン（５）との接続を切り離すことを特徴とする請求項２記載の電動開閉装置の制御システム。
【請求項４】
前記モニタ指令またはモニタ解除指令は、監視するべきフロア通信ライン（６）が接続されるフロア制御装置（２）のアドレスデータを含むことを特徴とする請求項２または３記載の電動開閉装置の制御システム。
【発明の詳細な説明】
【技術分野】
【０００１】
本発明は、電動で操作される横型ブラインド、ロールスクリーン、カーテン、シャッタ等の電動開閉装置の制御システムに関し、特に、例えば高層ビル等の窓面に設定されるような多数の電動開閉装置の開閉を制御する制御システムに適した電動開閉装置の制御システムに関する。
【背景技術】
【０００２】
一般的にこの種の電動開閉装置の制御システムは、中央制御装置と複数の開閉制御装置との間でフロア制御装置を介して通信して電動開閉装置の制御を行なうようになっている。
【０００３】
従来、このような制御システムにおいて異常・故障が発生した場合に、故障原因または故障個所を把握するものとして、特許文献１に記載されるものが知られている。これによれば、多数の電動ブラインドが、操作信号に基づく異常情報を中央制御装置としてのメインコントローラに出力する制御部を備え、メインコントローラは各電動ブラインドの異常情報を表示する表示装置を備えている。メインコントローラから各電動ブラインドに対して状態要求信号が出力されると、フロアコントローラを介して各電動ブラインドのメモリに格納された各電動ブラインドの動作状態および異常情報の格納内容が応答信号としてメインコントローラに出力されて、メインコントローラの表示装置で表示される。
【０００４】
【特許文献１】特開２００１−２４８３６７号公報
【発明の開示】
【発明が解決しようとする課題】
【０００５】
上記特許文献１では、各電動ブラインドの設置場所に赴くことなく、各電動ブラインドの異常有無および異常の状態をメインコントローラで確認することができるようになっているものの、通信ラインの異常は確認することができないため、通信ラインそのものが異常である場合には、電動ブラインド自体の異常も確認することができなくなってしまう。そのため、特にフロアコントローラと各電動ブラインドとの間の通信ラインの異常を調べるためには、依然として各フロアに赴いて調べる必要がある。
【０００６】
この発明は上記のような課題を解決するためになされたもので、その目的は、フロア制御装置と開閉制御装置との間のフロア通信ラインの状況を中央制御装置にて確認することができる電動開閉装置の制御システムを提供することである。
【課題を解決するための手段】
【０００７】
前述した目的を達成するために、請求項１記載の発明は、中央制御装置と複数のフロア制御装置とがメイン通信ラインで接続され、フロア制御装置と複数の開閉制御装置とがフロア通信ラインで接続され、フロア制御装置を介して中央制御装置と開閉制御装置とで通信して電動開閉装置の制御を行なう電動開閉装置の制御システムにおいて、
メイン通信ラインとフロア通信ラインとの間には、モニタラインが設けられて、モニタラインを介してフロア通信ラインを流れる信号を中央制御装置にて受信可能とすることを特徴とする。
【０００８】
請求項２記載の発明は、請求項１記載の前記モニタラインには切替手段が設けられており、前記中央制御装置からフロア制御装置へのモニタ指令により、切替手段が、モニタラインを介してフロア通信ラインとメイン通信ラインとを接続することを特徴とする。
【０００９】
請求項３記載の発明は、請求項２記載のものにおいて、前記中央制御装置からフロア制御装置へのモニタ解除指令により、切替手段が、フロア通信ラインとメイン通信ラインとの接続を切り離すことを特徴とする。
【００１０】
請求項４記載の発明は、請求項２または３記載の前記モニタ指令またはモニタ解除指令が、監視するべきフロア通信ラインが接続されるフロア制御装置のアドレスデータを含むことを特徴とする。
【発明の効果】
【００１１】
本発明によれば、モニタラインを介してフロア通信ラインの信号を中央制御装置で受信可能としたことで、各フロアに出向くことなく、中央制御装置においてフロア通信ラインの状況を確認することができるようになる。これによって、フロア通信ライン及び／またはそのフロア通信ラインに接続される開閉制御装置の異常を検出することができるようになる。
【００１２】
請求項２記載の発明によれば、中央制御装置のモニタ指令によって、モニタラインを介してフロア通信ラインとメイン通信ラインとを接続することによって、メイン通信ラインの信号からフロア通信ラインの状況を確認することができるようになる。
【００１３】
請求項３記載の発明によれば、中央制御装置のモニタ解除指令によって、モニタラインによるフロア通信ラインとメイン通信ラインとの接続を切り離すことによって、通常の状態に戻すことができるようになる。
【００１４】
請求項４記載の発明によれば、複数のフロア制御装置がある場合において、特定のフロア制御装置に接続されたフロア通信ラインの状況を確認することができる。
【発明を実施するための最良の形態】
【００１５】
以下、図面を用いて本発明の実施の形態を説明する。
図１は、本発明に関わる電動開閉装置の制御システムの全体構成例である。
【００１６】
中央制御装置１と複数のフロア制御装置２がメイン通信ライン５で接続され、フロア制御装置２と複数のブラインド制御装置（開閉制御装置）３がフロア通信ライン６で接続されている。
【００１７】
フロア制御装置２はビルの各フロアに原則的には１台相当、全体でＮ台（例えば最大１２７台）設置され、ブラインド制御装置３は各フロアにＭ台（例えば最大２５５台）設置される。したがって、ブラインド制御装置３は、最大Ｎ×Ｍ台（例えば３２，３８５台）を設置可能となる大規模システムとなっている。
【００１８】
ブラインド制御装置３は、各電動ブラインド４または同一動作を行なうブラインドグループに対応しており、各電動ブラインド４の動作を行なわせるモータ等の駆動装置の駆動信号を送出すると共に電動ブラインド４に設けられたエンコーダからの電動ブラインドの開閉状態（例えば昇降高さ、回転角度）を表す信号を受信する。中央制御装置１と複数のブラインド制御装置３は、フロア制御装置２を中継装置として通信を行っており、中央制御装置１から制御指令が出され、フロア制御装置２を介してブラインド制御装置３へと送られて、電動ブラインド４の開閉制御が行なわれる。
【００１９】
電動ブラインド４は、横型ブラインド、ロールスクリーン、カーテン、シャッタ等の任意の電動開閉装置とすることができる。各電動ブラインド４または各ブラインドグループは、手元コントローラ９によって開閉動作を個別に制御可能にすることもでき、その場合、手元コントローラ９とブラインド制御装置３との間は無線または有線の通信ラインで信号を送受信可能となっている。
【００２０】
図２は、図１の制御システムのブロック図である。
中央制御装置１は、ＣＰＵを含む信号処理部１０１と、メモリ１０２と、メイン通信ライン５を介してフロア制御装置２との信号を入出力する入出力部１０３と、表示装置１０４とを備える。
【００２１】
また、フロア制御装置２は、ＣＰＵを含む信号処理部１２１と、メモリ１２２と、メイン通信ライン５を介して中央制御装置１との信号を入出力する入出力部１２３と、フロア通信ライン６を介してブラインド制御装置３との信号を入出力する入出力部１２４と、を備える。
【００２２】
また、ブラインド制御装置３は、ＣＰＵを含む信号処理部１３１と、メモリ１３２と、フロア通信ライン６を介してフロア制御装置２との信号を入出力する入出力部１３３と、を備える。
【００２３】
各フロア制御装置２と複数のブラインド制御装置３とを接続するフロア通信ライン６は、１回線とし、接続される複数のブラインド制御装置３を全て１つのフロア通信ライン６に接続することも可能であるが、図２に示したように、１つのフロア制御装置２に対して複数回線のフロア通信ライン６として、複数のブラインド制御装置３を分割して、該当するフロア通信ライン６に接続することも可能である。これによって、信号伝送の高速化を図り、または１つのフロア通信ライン６または１つのブラインド制御装置３の故障が、多数のブラインド制御装置３に影響を及ぼすことを回避することができる。
【００２４】
中央制御装置１の信号処理部１０１から開閉制御指令等の制御指令が出されると、メイン通信ライン５を介してフロア制御装置２にて受信される。制御指令には、フロア制御装置２を識別するフロアアドレス及びグループ番号のデータと、制御内容を表す信号が含まれる。グループ番号とは、同じフロアに属する電動ブラインド４で同じ開閉動作を行なう最小単位を識別する番号であり、最小単位が１つの電動ブラインドである場合にはブラインドアドレスとなり、ブラインド制御装置３及び／または電動ブラインド４を識別する番号となる。
【００２５】
制御指令が、その指令で指定されたフロア制御装置２に送信されると、フロア制御装置２の信号処理部１２１から制御指令が、該当するブラインド制御装置３へと送信される。この制御指令には、グループ番号のデータと、制御内容を表す信号が含まれる。
【００２６】
制御指令が、その指令で指定されたブラインド制御装置３に送信されると、ブラインド制御装置３の信号処理部１３１は、応答信号をフロア制御装置２に送信する。また、ブラインド制御装置３の信号処理部１３１は、制御内容に対応した駆動信号を電動ブラインド４に出力し、電動ブラインド４からの状態を表す信号を受信する。この状態信号は、ブラインド制御装置３からフロア制御装置２へと送信される。上記応答信号及び状態信号がフロア制御装置２のメモリ１２２に格納されると同時に、フロア制御装置２の信号処理部１２１は中央制御装置１へとこれらの信号を送信する。このとき、フロア制御装置２の入出力部１２４及び信号処理部１２１には、複数のフロア通信ライン６からの信号が並列に入力されて処理される。
【００２７】
図３に示したように、フロア制御装置２を介して、フロア通信ライン６とメイン通信ライン５の間にはモニタライン７が接続される。フロア通信ライン６がこの例のように複数ある場合には、フロア通信ライン６ごとにモニタライン７を接続することも可能であるが、信号線数が多数になるため、この例では、入出力部１２４に設けられた切替手段としてのライン切替回路１２６を介して複数のフロア通信ライン６と１つのモニタライン７とを接続している。ライン切替回路１２６は、通常は各フロア通信ライン６と信号処理部１２１とを接続している。
【００２８】
さらに、モニタライン７は、入出力部１２３に設けられた切替手段としてのゲート回路１２８及び電圧変換器１２９を介して、メイン通信ライン５に接続される。
【００２９】
ゲート回路１２８は、この場合ＡＮＤ回路で構成され、信号処理部１２１からのハイ信号により開いて、モニタライン７とメイン通信ライン５を接続し、ロー信号により閉じて、モニタライン７とメイン通信ライン５とを切り離すものである。
【００３０】
電圧変換器１２９は、メイン通信ライン５とフロア通信ライン６の電圧が同じレベル範囲で使用されている場合には不要であるが、異なるレベル範囲である場合に、フロア通信ライン６のレベルをメイン通信ライン５のレベルに合わせるべく電圧変換を行うものである。
【００３１】
以上のように構成されるシステムにおいて、中央制御装置１から各フロア通信ライン６の状態を監視する場合には、中央制御装置１からラインモニタ指令が送信される。ラインモニタ指令には、フロア制御装置２を識別するフロアアドレス及び監視するフロア通信ライン６を識別するライン番号のデータが含まれる。
【００３２】
フロア制御装置２は、図４に示すように、中央制御装置１から指令信号を受信すると（ステップＳ１２）、指令されたフロアアドレスに該当するかを判定し（ステップＳ１４）、指定されたフロアアドレスに該当するフロア制御装置２は、ラインモニタ指令であるかを判定する（ステップＳ１６）。ラインモニタ指令であると、信号処理部１２１がライン切替回路１２６の切替を行い指定されたライン番号に該当するフロア通信ライン６とモニタライン７とを接続する。同時に、信号処理部１２１がゲート回路１２８にハイ信号を送出して、ゲート回路１２８を開き、モニタライン７とメイン通信ライン５を接続する（ステップＳ１８）。これにより、メイン通信ライン５には、電圧変換器１２９によって電圧変換された監視したいフロア通信ライン６と同じ信号が表れるために、これを中央制御装置１の信号処理部１０１にて取り込み、また必要に応じて中央制御装置１の表示装置１０４にて表示させることにより、フロア通信ライン６が正常に動作しているかを監視することができる。
【００３３】
監視作業が終了すると、中央制御装置１からラインモニタ解除指令が送信される。ラインモニタ指令には、フロア制御装置２を識別するフロアアドレスのデータが含まれる。指令されたフロアアドレスに該当するフロア制御装置２の信号処理部１２１は、ラインモニタ解除指令を受信すると（ステップＳ２０）、ライン切替回路１２６の切替を行いフロア通信ライン６と信号処理部１２１との接続を復活させ、ゲート回路１２８を閉じ、モニタライン７とメイン通信ライン５とを切り離す（ステップＳ２２）。
【００３４】
こうして、必要に応じて中央制御装置１において、任意のフロア通信ライン６の状況を確認することができるため、各フロアに出向くことなく、フロア通信ライン６の異常またはそのフロア通信ライン６に接続される開閉制御装置３などの異常を確認することができるようになる。
【００３５】
但し、ライン切替回路１２６には、携帯可能な外部装置に接続可能な外部ライン８を設けておき、必要に応じてフロア制御装置２まで出向いて、この外部ライン８に外部装置を接続して、フロア通信ライン６の状況を確認できるようにしておくことも可能である。
【図面の簡単な説明】
【００３６】
【図１】本発明の実施形態にかかる電動開閉装置の制御システムの全体構成例である。
【図２】図１の制御システムのブロック図である。
【図３】図２のフロア制御装置の詳細ブロック図である。
【図４】フロア制御装置におけるフロア通信ライン監視時の処理を表すフローチャートである。
【符号の説明】
【００３７】
１  中央制御装置
２  フロア制御装置
３  ブラインド制御装置（開閉制御装置）
４  電動ブラインド（電動開閉装置）
５  メイン通信ライン
６  フロア通信ライン
７  モニタライン
１２６  ライン切替回路（切替手段）
１２８  ゲート回路（切替手段）
【図１】
0004594856.tif 000002
【図２】
0004594856.tif 000003
【図３】
0004594856.tif 000004
【図４】
0004594856.tif 000005